(57)【要約】【課題】制御信号がリングシステム内を伝送可能な高品質な伝送装置を得ることを目的とする。【解決手段】電力レベルモニタ９は、増幅器８からの光データチャネル信号を入力して出力し、入力した光データチャネル信号の電力レベルを監視し、電力レベルが所定の条件を満たさない場合には出力断信号と選択信号とを出力する。出力制御部１０は、光データチャネル信号を入力するとともに、電力レベルモニタ９からの出力断信号の出力の有無によって、入力した光データチャネル信号の出力または出力断のいずれかを制御する。セレクタ１１は、監視制御光と電力レベルモニタ９からの選択信号とを入力し、出力制御部１０が光データチャネル信号を出力した場合には出力した光データチャネル信号を入力し、選択信号の指示に基づいて監視制御光または光データチャネル信号のいずれかを選択して出力する。【選択図】        図１
2004215147.tif 000002
【特許請求の範囲】
【請求項１】
データ信号を入力し、入力したデータ信号を出力し、入力したデータ信号の電力レベルを監視し、監視したデータ信号の電力レベルが所定の条件を満たさない場合にはデータ信号の出力断を指示する出力断信号を出力する電力レベルモニタと、
上記電力レベルモニタが出力したデータ信号を入力し、上記電力レベルモニタからの出力断信号の出力の有無によって上記入力したデータ信号の出力または出力断のいずれかを制御する出力制御部とを備える伝送装置。
【請求項２】
上記電力レベルモニタは、監視したデータ信号の電力レベルが所定の条件を満たさない場合にはデータ信号の出力断を指示する出力断信号を出力するとともに、データ信号と制御情報を含む制御信号とのいずれかの選択を指示する選択信号を出力し、
上記伝送装置は、さらに、
制御情報を含む制御信号と上記電力レベルモニタからの選択信号とを入力し、上記出力制御部がデータ信号を出力した場合には出力したデータ信号を入力し、選択信号が制御信号を選択することを指示している場合には制御信号を選択して出力し、選択信号がデータ信号を選択することを指示している場合にはデータ信号を選択して出力するセレクタを備える請求項１に記載された伝送装置。
【請求項３】
上記伝送装置は、さらに、
制御情報を含む制御信号を入力し、入力した制御信号を出力し、上記出力制御部がデータ信号を出力した場合には出力したデータ信号を入力し、入力したデータ信号を制御信号に多重化して出力する制御信号多重化部を備える請求項１に記載された伝送装置。
【請求項４】
上記伝送装置は、さらに、
入力したデータ信号を増幅し、増幅したデータ信号を上記電力レベルモニタに出力する増幅器を備えた請求項１に記載された伝送装置。
【請求項５】
上記伝送装置は、データ信号として波長多重光信号を伝送する請求項１に記載された伝送装置。
【請求項６】
データ信号を入力し、入力したデータ信号を出力し、入力したデータ信号の電力レベルを監視し、監視したデータ信号の電力レベルが所定のレベル以下の場合にはデータ信号の出力断を指示する出力断信号を出力し、
上記出力したデータ信号を入力し、上記電力レベルモニタからの出力断信号の出力の有無によって上記入力したデータ信号の出力または出力断のいずれかを制御する伝送方法。
【発明の詳細な説明】
【０００１】
【発明の属する技術分野】
この発明は、伝送装置の各部の状態如何に係わらず、監視制御を行う制御信号の導通を優先することにより、障害が発生しているブランチノード（伝送装置）の先のブランチノード（伝送装置）への制御が可能になりまた、どのブランチノード（伝送装置）で障害が発生しているかホストＯＰＳ（ＯＰＥＲＡＴＩＮＧ  ＳＹＳＴＥＭ）に通知することが可能になることを特徴とした伝送方法に関する。
【０００２】
【従来の技術】
波長分割多重システムは、システムを管理するオペレーティングシステムとセンターノードと複数のブランチノードにより構成される。センターノードとブランチノードは、光信号を増幅する波長多重光増幅基板と、光信号を波長毎に多重分離する波長多重分離基板と、光ネットワークシステムに接続する機器をインターフェースする通信インターフェース基板と、各種基板の故障及び性能状態を収集しかつオペレーティングシステム（ホストＯＰＳ）からの制御情報をセンターノードを介して各種基板に通知する監視制御基板から構成される。
【０００３】
センターノードは、波長多重光増幅基板、波長多重分離基板、通信インターフェース基板λ１、通信インターフェース基板λ２、・・・・、通信インターフェース基板λｎ、監視制御基板から構成され、監視制御基板はオペレーティングシステムと接続されている。
ブランチノードも、同様に、波長多重光増幅基板、波長多重分離基板、通信インターフェース基板λ１、通信インターフェース基板λ２、・・・・、通信インターフェース基板λｎ、監視制御基板から構成される。
【０００４】
次に動作について説明する。オペレーティングから各ノードに実装される各種基板の制御信号は、センターノードの監視制御基板で光監視信号に変換され、波長多重分離基板に送出され、通信インターフェース基板から送出された光データチャネル信号に重畳され、波長多重光増幅基板に送出される。波長多重光増幅基板で増幅された光信号は光ファイバ伝送路を経て次のブランチノードに送出され、波長多重光増幅基板で増幅され、波長多重分離基板に送出され、光データチャネル信号と光監視信号に分離される。光監視信号は、監視制御基板で電気信号に変換された後、各種基板に送出される。
ブランチノードの各種基板の状態性能情報は監視制御基板で前段のブランチノードからの状態性能情報に電気多重され、光監視信号に変換され、波長多重分離基板に送出され、通信インターフェース基板から送出された光データチャネル信号に重畳され、波長多重光増幅基板に送出される。波長多重光増幅基板で増幅された光信号は光ファイバ伝送路を経て次段のブランチノードに送出され、状態性能情報は最終段のブランチノードを経てセンターノードに伝達される（例えば、特許文献１参照）。
【０００５】
【特許文献１】
特開平１１−１６３８３６号公報
【０００６】
【発明が解決しようとする課題】
従来の装置では、波長分割多重システムは、以上のように構成されているので、リングシステムのブランチノードの波長多重光増幅基板、波長分離光増幅基板に障害が発生した場合、障害が発生したブランチノード以降のブランチノードへの制御が不可能になり、また障害が発生したブランチノードをホストＯＰＳに通知することができず、システムの系の安定に時間がかかるなどの問題があった。
【０００７】
この発明は、システムのいずれかの部分に障害が発生した場合においても、制御信号がリングシステム内を伝送することができる高品質な伝送装置を得ることを目的とする。
【０００８】
【課題を解決するための手段】
この発明に係る伝送装置は、データ信号を入力し、入力したデータ信号を出力し、入力したデータ信号の電力レベルを監視し、監視したデータ信号の電力レベルが所定のレベル以下の場合にはデータ信号の出力断を指示する出力断信号を出力する電力レベルモニタと、
上記電力レベルモニタが出力したデータ信号を入力し、上記電力レベルモニタからの出力断信号の出力の有無によって上記入力したデータ信号の出力または出力断のいずれかを制御する出力制御部とを備える。
【０００９】
【発明の実施の形態】
以下に示す本実施の形態では、波長分割多重システムにおいて、波長多重光増幅部、波長分離光増幅基板の状態如何に係わらず、監視制御光の導通を優先することにより、障害が発生しているブランチノードの先のブランチノードへの制御が可能になりまた、どのブランチノードで障害が発生しているかホストＯＰＳに通知することが可能になることを特徴とした伝送装置１について説明する。
【００１０】
以下、すべての実施の形態における伝送装置は、波長多重光を用いてデータ及び制御情報を伝送しているが、これは本発明の実施の形態の一例であり、伝送装置は、データ及び制御情報を伝送する信号に光や電気信号などを用いることができる。
したがって、以下に示す各実施の形態の伝送装置が伝送する監視制御光は、自装置等の制御情報を含む制御情報を伝送する制御信号の一例であり、波長多重光信号である光データチャネル信号はデータを伝送するデータ信号の一例である。
【００１１】
実施の形態１．
以下、実施の形態１について説明する。
本実施の形態に係わる監視制御光の伝達方法について図１を参照にして説明する。図１は、センターノードまたはブランチノードを示す本実施の形態の伝送装置１の内部構成図である。
図１において伝送装置１は、多重分離部３と監視制御部５と分岐器７と波長多重光増幅部２とセレクタ１１とから構成され、波長多重光増幅部２は、増幅器８と電力レベルモニタ９と出力制御部１０とから構成される。
【００１２】
センターノードを起動した状態で、多重分離部３から出力された光データチャネル信号（波長多重光）は波長多重光増幅部２に送出され、波長多重光増幅部２内部の増幅器８で増幅され、セレクタ１１を経由して伝送路に送出される。
波長多重光増幅部２の電力レベルモニタ９は、増幅器８から出力された光データチャネル信号の出力電力レベルを検出し、検出した出力電力レベルに異常が発見された時は、出力制御部１０に出力断信号を送出し光の出力を止める（シャットダウン制御）。ここで、異常が発見された時とは、光データチャネル信号の電力レベルが予め定められた所定値以下または予め定められた所定範囲を超えた場合等、予め定められた所定条件を満たさなくなった時をいう。
監視制御光は、監視制御部５によって収集された伝送装置１の各部の故障及び性能状態を示す制御情報やホストオペレーティングシステム（ホストＯＰＳ）からの制御情報をセンターノードを介して各部に通知する制御信号である。監視制御光は、監視制御部５から出力され、分岐器７によって分岐されている。
出力断信号は、光データチャネル信号（波長多重光）の出力断を出力制御部１０に指示する信号である。
また、波長多重光増幅部２の電力レベルモニタ９は、セレクタ１１にも監視制御光を選択することを指示する選択信号を送出する（監視制御光／光データチャネル信号選択制御）。ここで、選択信号とは、セレクタ１１に入力される光データチャネル信号と監視制御光とのうち、どちらの信号を選択すべきかをセレクタ１１に指示する信号である。
【００１３】
電力レベルモニタ９が検出した光データチャネル信号の出力電力レベルに異常が発見された場合、セレクタ１１が選択信号に従って入力された監視制御光を選択して出力することによって、波長多重光増幅部２の異常は、監視制御部５を通じて制御情報として監視制御光に盛り込まれ、センターノードを経てホストＯＰＳに通達される。
この結果、波長多重光増幅部２に異常が発生した場合においても、監視制御光を次段のブランチノードに伝送することが可能になる。
【００１４】
このように、本実施の形態の伝送装置１において、電力レベルモニタ９は、増幅器８によって増幅され、増幅器８から出力されたデータ信号（光データチャネル信号）を入力し、入力したデータ信号（光データチャネル信号）を出力するとともに、入力したデータ信号（光データチャネル信号）の電力レベルを監視する。監視したデータ信号（光データチャネル信号）の電力レベルが所定の条件を満たさない場合にはデータ信号（光データチャネル信号）の出力断を指示する出力断信号を出力する。
また、出力制御部１０は、電力レベルモニタ９から出力されたデータ信号（光データチャネル信号）を入力し、電力レベルモニタ９からの出力断信号の出力の有無によって上記入力したデータ信号（光データチャネル信号）の出力または出力断のいずれかを制御する。すなわち、出力制御部１０は、電力レベルモニタ９が出力したデータ信号（光データチャネル信号）を入力するとともに、電力レベルモニタ９が出力断信号を出力し、その出力断信号を入力した場合には、電力レベルモニタ９から入力したデータ信号（光データチャネル信号）の出力を断する。一方、出力制御部１０は、電力レベルモニタ９が出力したデータ信号（光データチャネル信号）を入力するが、電力レベルモニタ９から出力断信号が出力されない場合には、電力レベルモニタ９から入力したデータ信号（光データチャネル信号）をセレクタ１１に出力する。
【００１５】
また、電力レベルモニタ９は、監視したデータ信号（光データチャネル信号）の電力レベルが所定の条件を満たさない場合には、データ信号（光データチャネル信号）の出力断を指示する出力断信号を出力するとともに、データ信号（光データチャネル信号）と制御情報を含む制御信号（監視制御光）とのいずれかの選択を指示する選択信号を出力する。
セレクタ１１は、制御情報を含む制御信号（監視制御光）と電力レベルモニタ９からの選択信号とを入力し、出力制御部１０がデータ信号（光データチャネル信号）を出力した場合には出力したデータ信号（光データチャネル信号）を入力し、選択信号が制御信号（監視制御光）を選択することを指示している場合には制御信号（監視制御光）を選択して出力し、選択信号がデータ信号（光データチャネル信号）を選択することを指示している場合にはデータ信号（光データチャネル信号）を選択して出力する。
【００１６】
よって、本実施の形態のシステムの高速側伝送路光信号において、波長多重光増幅部２を備えた波長多重光増幅基板の故障状態を判断し、監視制御光の導通経路を波長多重光増幅基板に備えられた増幅器８をスルーパスすることができる。また、監視制御光を波長多重光に重畳して伝送路に送出することを選択することもできるが、その動作については後述する。
【００１７】
本実施の形態の波長分割多重システムは、スロットを複数個有し、各スロットに各種の通信インターフェース部を備えた通信インターフェース基板、波長多重光増幅部２を備えた波長多重光増幅基板、実施の形態２に示す波長分離光増幅部を備えた波長分離光増幅基板、多重分離部３を備えた波長多重分離基板、監視制御部５を備えた監視制御基板等を実装される光伝送装置（伝送装置１）として実現されることができる。
したがって、本実施の形態におけるリングシステム（波長分割多重システム）の伝送装置１（センターノードまたはブランチノード）の波長多重光増幅部２や実施の形態２に示す波長分離光増幅部に障害が発生した場合においても、監視制御光はリングシステム（波長分割多重システム）内を伝送可能なため、障害が発生していない伝送装置１（センターノードまたはブランチノード）の制御が不可能になることはなく、またどの伝送装置１（センターノードまたはブランチノード）で障害が発生したかも障害の発生と同時にホストＯＰＳに通知することが可能になり、高品質なシステムを得ることができる。
【００１８】
実施の形態２．
次に、実施の形態２について説明する。
本実施の形態２に係わる監視制御光の伝達方法について図２を参照にして説明する。
図２は、本実施の形態の伝送装置１（センターノードまたはブランチノード）を示す内部構成図である。
図２において伝送装置１は、波長分離光増幅部１２、セレクタ１７、多重分離部３、通信インターフェース部（λ１）４ａ、通信インターフェース部（λ２）４ｂ、通信インターフェース部（λｎ）４ｃ、監視制御部５から構成され、波長分離光増幅部１２は、分岐器１３、増幅器１４、電力レベルモニタ１５、出力制御部１６から構成されている。
【００１９】
センターノードが起動した状態で、伝送路信号は分岐器１３で２分岐され、一方は波長分離光増幅部１２内の増幅器１４へ送出され、もう一方はセレクタ１７に送出される。
波長分離光増幅部１２は、増幅器１４の出力電力レベルを電力レベルモニタ１５で検出し、異常が発見された時（予め定められた所定の条件を満たさない時）、電力レベルモニタ１５は出力制御部１６に出力断信号を送出し、光の出力を止めさせる。
また、電力レベルモニタ１５は、セレクタ１７にも分岐器１３側の光信号である監視制御光の選択を指示する選択信号を送出する。
セレクタ１７は、監視制御光との選択信号とを入力する。セレクタ１７は、また、出力制御部１９が出力断信号に従って光データチャネル信号の出力を断する処理を行わなかった場合には出力制御部１９が出力した光データチャネル信号を入力する。セレクタ１７は、選択信号が監視制御光を選択することを指示している場合には入力した監視制御光を選択して出力し、選択信号が光データチャネル信号を選択することを指示している場合には光データチャネル信号を選択して出力する。
【００２０】
セレクタ１７の出力は、多重分離部３に送出され、光データチャネル信号と監視制御光とに分離される。
【００２１】
監視制御光はすべてのブランチノードを経由して伝送されているので、増幅器で増幅されなくとも十分な利得を得ることができる。
同時に波長分離光増幅部１２の異常は、監視制御部５を通じて監視制御光に盛り込まれ、センターノードを経てＯＰＳに通達される。
この結果、波長分離光増幅部１２に異常が発生した場合においても、監視制御光を次段のブランチノードに伝送することが可能になるため、障害が発生していない伝送装置１（センターノードまたはブランチノード）の制御が不可能になることはなく、またどの伝送装置１（センターノードまたはブランチノード）で障害が発生したかも障害の発生と同時にホストＯＰＳに通知することが可能になり、高品質なシステムを得ることができる。
【００２２】
本実施の形態の波長分割多重システムは、スロットを複数個有し、各スロットに各種の通信インターフェース部を備えた基板、波長多重光増幅部を備えた波長多重光増幅基板、波長分離光増幅部１２を備えた波長分離光増幅基板、波長多重分離部３を備えた波長多重分離基板、監視制御部５を備えた監視制御基板等を実装される光伝送装置（伝送装置１）として実現されることができる。
したがって、本実施の形態における波長分割多重システムの高速側伝送路光信号において、伝送装置１（センターノードまたはブランチノード）の波長分離光増幅部１２の故障状態を判断し、監視制御光の導通経路を波長分離光増幅部１２の増幅器１４をスルーパスして接続された次の波長分離光増幅基板に伝送するか、後述するように光データチャネル信号（波長多重光）に重畳して次の波長分離光増幅基板に送出することができるため、障害が発生していない伝送装置１（センターノードまたはブランチノード）の制御が不可能になることはなく、またどの伝送装置１（センターノードまたはブランチノード）で障害が発生したかも障害の発生と同時にホストＯＰＳに通知することが可能になり、高品質なシステムを得ることができる。
【００２３】
実施の形態３．
本実施の形態３に係わる監視制御光の伝達方法について図３を参照にして説明する。
図３において、伝送装置１は波長多重光増幅部２、多重分離部３、監視制御部５、制御信号多重化部１８から構成され、波長多重光増幅部２は増幅器８、電力レベルモニタ９、出力制御部１０から構成される。
【００２４】
センターノードが起動した状態で、多重分離部３からの光データチャネル信号の波長多重光は波長多重光増幅部２に送出され、波長多重光増幅部２の増幅器８で増幅され、制御信号多重化部１８に送出され、監視制御部５から出力された監視制御光と多重される。
波長多重光増幅部２は電力レベルモニタ９で増幅器８から出力された光データチャネル信号の出力電力レベルを検出し、異常が発見された時（予め定められた所定の条件を満たさない時）は出力制御部１０に出力断信号を送出することによって出力制御部１０に光の出力を止めさせる。同時に波長多重光増幅部２の異常は、監視制御部５を通じて監視制御光に盛り込まれ、センターノードを経てＯＰＳに通達される。
【００２５】
このように、本実施の形態では、システムの高速側光信号において、監視制御光を波長多重光増幅部２後に光データチャネル信号と多重すること特徴とする。すなわち、本実施の形態の伝送装置１では、制御信号多重化部１８は、制御情報を含む制御信号（監視制御光）を入力し、入力した制御信号（監視制御光）を出力する。また、制御信号多重化部１８は、出力制御部１０がデータ信号（光データチャネル信号）を出力した場合には出力したデータ信号（光データチャネル信号）を入力し、入力したデータ信号（光データチャネル信号）を制御信号（監視制御光）に多重化して出力する。この結果、波長多重光増幅部２に異常が発生した場合においても、監視制御光を次段のブランチノードに伝送することが可能になるため、障害が発生していない伝送装置１（センターノードまたはブランチノード）の制御が不可能になることはなく、またどの伝送装置１（センターノードまたはブランチノード）で障害が発生したかも障害の発生と同時にホストＯＰＳに通知することが可能になり、高品質なシステムを得ることができる。
【００２６】
本実施の形態の波長分割多重システムに係る光伝送装置（伝送装置１）には、スロットを複数個有し、各スロットに各種の通信インターフェース部を備える通信インターフェース基板、波長多重光増幅部２を備える波長多重光増幅基板、波長分離光増幅部を備える波長分離光増幅基板、多重分離部３を備える波長多重分離基板、監視制御部５を備える監視制御基板等を実装することができる。
【００２７】
【発明の効果】
本発明は、障害が発生していない伝送装置の制御を可能にし、また、障害に関する情報を通知することを可能にして、高品質なシステムの構築を図ることができる。
【図面の簡単な説明】
【図１】この発明の実施の形態１による波長分割多重システムに適用可能な波長多重光増幅部を示すブロック図である。
【図２】この発明の実施の形態２による波長分割多重システムに適用可能な波長分離光増幅部を示すブロック図である。
【図３】この発明の実施の形態３による波長分割多重システムに適用可能な波長多重光増幅部を示すブロック図である。
【符号の説明】
１  伝送装置、２  波長多重光増幅部、３  多重分離部、４ａ  通信インターフェース部λ１、４ｂ  通信インターフェース部λ２、４ｃ  通信インターフェース部λｎ、５  監視制御部、７，１３  分岐器、８，１４  増幅器、９，１５電力レベルモニタ、１０，１６  出力制御部、１１，１７  セレクタ、１２  波長分離光増幅部、１８  制御信号多重化部。
【図１】
2004215147.tif 000003
【図２】
2004215147.tif 000004
【図３】
2004215147.tif 000005